(57)【特許請求の範囲】
【請求項１】
発光板（２）、制御パネル（７）、本体ベース（３）、電池ホルダ及び昇降機構（４）を備え、
前記発光板（２）と前記制御パネル（７）とは電気的に接続され、
前記発光板（２）は、プリント回路板及び複数の発光体（２１）を備え、前記複数の発光体（２１）は、前記プリント回路板の表面に配列されて表示面を形成し、
前記プリント回路板は、発光部（２２）及び固定部（２３）を備え、前記固定部（２３）は外側へ延在する突起部分を有し、前記発光部（２２）は炎の形状に類似し、前記表示面は、前記発光部（２２）の正反両面に位置し、
前記制御パネル（７）は、前記本体ベース（３）に取り付けられ、前記発光板（２）は、前記制御パネル（７）との固定接続によって前記本体ベース（３）に位置決めされ、又は、本体ベース（３）に取り付けられ、前記表示面は、本体ベース（３）の先端部からはみ出し、
駆動動作状態において、前記制御パネル（７）が、一部の前記発光体（２１）の点灯及び一部の前記発光体（２１）の消灯の少なくともいずれか一方を制御することによって、前記表示面に炎の揺らめきが動的に表示され、
前記本体ベース（３）は取付座（３２）を備え、前記電池ホルダは、前記取付座（３２）内に配置され且つ前記制御パネル（７）と電気的に接続され、前記取付座（３２）の先端部には貫通孔が設けられ、駆動動作状態において、前記表示面は、前記貫通孔を介して、前記取付座（３２）の先端部からはみ出し、
前記昇降機構（４）は、前記取付座（３２）内に取り付けられ、前記昇降機構（４）の駆動出力端子と前記固定部（２３）とが接続され、前記昇降機構（４）は、前記発光部（２２）が前記取付座（３２）内に隠れ又は前記取付座（３２）の先端部からはみ出すように駆動することを特徴とする本物の炎を模倣して発光する照明装置。
【請求項２】
前記発光体（２１）は発光ダイオードチップであり、さらに、前記発光体（２１）は長方形の顆粒状であり、前記プリント回路板の正反両面に配列されていることを特徴とする請求項１に記載の照明装置。
【請求項３】
前記発光体（２１）は、斜めに且つ均等に分布するように前記プリント回路板の正反両面に配列されていることを特徴とする請求項２に記載の照明装置。
【請求項４】
前記発光板（２）は、前記固定部（２３）の表面に配置されたコネクタ（２４）をさらに備え、前記発光板（２）と前記制御パネル（７）とが、前記コネクタ（２４）を介して電気的に接続されていることを特徴とする請求項１〜３のいずれか１項に記載の照明装置。
【請求項５】
前記発光板（２）は、前記固定部（２３）に取り付けられた発光ダイオード（２５）をさらに備えていることを特徴とする請求項１〜４のいずれか１項に記載の照明装置。
【請求項６】
前記発光板（２）は、前記発光体（２１）の表面を覆う透明又は半透明の被覆層をさらに備えていることを特徴とする請求項１〜５のいずれか１項に記載の照明装置。
【請求項７】
前記本体ベース（３）は取付台（３１）をさらに備え、前記取付座（３２）の上部には凹溝又は貫通孔が設けられ、前記取付台（３１）は、前記凹溝又は前記貫通孔の中に嵌めこまれ又は収容され、
前記発光板（２）は前記取付台（３１）に取り付けられ、前記表示面は前記取付台（３１）の先端部からはみ出していることを特徴とする請求項１〜６のいずれか１項に記載の照明装置。
【請求項８】
電源モジュール（８）及び電源制御パネル（９）をさらに備え、前記電源モジュール（８）と前記電源制御パネル（９）とが接続され一体となり、前記電源制御パネル（９）は前記本体ベース（３）に横向きに取り付けられ、
前記固定部（２３）と前記電源制御パネル（９）とが、それぞれ前記制御パネル（７）に取り付けられ、さらに、前記発光部（２２）は、前記制御パネル（７）の上方に位置し、前記電源制御パネル（９）は、前記制御パネル（７）の下方に位置することを特徴とする請求項１〜７のいずれか１項に記載の照明装置。
【請求項９】
前記発光板（２）と前記制御パネル（７）とは、接続され一体となり且つ前記プリント回路板を共用し、前記発光板（２）と前記制御パネル（７）とが一体形成されていることを特徴とする請求項１〜８のいずれか１項に記載の照明装置。
【請求項１０】
燃焼中の炎の形態を模倣する火焔筐体（５）をさらに備え、前記表示面は、前記火焔筐体（５）に被覆されるように前記火焔筐体（５）内に配置されていることを特徴とする請求項１〜９のいずれか１項に記載の照明装置。
【請求項１１】
ろう胴体（１）をさらに備え、前記ろう胴体（１）の上部には基板（１１）が取り付けられ、
前記基板（１１）には、前記発光部（２２）を貫通させるための貫通孔（１１１）が設けられ、前記本体ベース（３）は、前記ろう胴体（１）内に取り付けられ、
前記表示面は、前記貫通孔（１１１）を介して前記基板（１１）の先端部からはみ出していることを特徴とする請求項１〜１０のいずれか１項に記載の照明装置。
【請求項１２】
前記取付台（３１）には、前記固定部（２３）に合わせた係合溝（３１２）が設けられ、
前記固定部（２３）は、前記係合溝（３１２）を介して前記取付台（３１）内に配置され、前記発光部（２２）は、前記取付台（３１）の先端部からはみ出していることを特徴とする請求項７に記載の照明装置。
【請求項１３】
電球筐体（６）をさらに備え、前記電球筐体（６）と前記本体ベース（３）とは接続され、前記表示面は、前記電球筐体（６）に被覆されるように前記電球筐体（６）内に配置されていることを特徴とする請求項８に記載の照明装置。
【請求項１４】
前記昇降機構（４）は、昇降板（４１）、ギアボックス（４２）及び駆動装置（４３）を備え、前記駆動装置（４３）は前記ギアボックス（４２）を駆動し、前記ギアボックス（４２）は前記昇降板（４１）を駆動し、前記昇降板（４１）は前記発光板（２）が上昇及び下降するように駆動することを特徴とする請求項１〜１３のいずれか１項に記載の照明装置。
【請求項１５】
前記本体ベース（３）は位置決め板（３３）をさらに備え、前記位置限定板（３３）には、前記固定部（２３）の横断面に合わせた貫通孔が設けられ、前記固定部（２３）は前記取付座（３２）内に配置され、前記位置限定板（３３）は前記貫通孔を介して前記固定部（２３）を締め付け、前記発光部（２２）は前記電球筐体（６）内に収容され、前記電球筐体（６）は、前記取付座（３２）にネジ接続されていることを特徴とする請求項１３に記載の照明装置。
【請求項１６】
前記本体ベース（３）は、締め付けブロック（３４）及び収容カップ（３５）をさらに備え、前記締め付けブロック（３４）には、前記固定部（２３）の横断面に合わせたチャネル（３４１）が設けられ、
前記収容カップ（３５）は前記取付座（３２）とネジ接続され、前記締め付けブロック（３４）は前記収容カップ（３５）内に収容され、前記固定部（２３）は、前記チャネル（３４１）を介して前記締め付けブロック（３４）に固定され、前記発光部（２２）は前記電球筐体（６）内に収容され、前記電球筐体（６）の開口端と前記収容カップ（３５）の上端とが接続されていることを特徴とする請求項１３に記載の照明装置。
【請求項１７】
前記本体ベース（３）は固定スタンド（３６）をさらに備え、
前記固定スタンド（３６）と前記取付座（３２）とはネジ接続され、前記電源モジュール（８）、前記電源制御パネル（９）、前記固定部（２３）及び前記制御パネル（７）は、前記固定スタンド（３６）内に収容され、前記発光部（２２）は前記電球筐体（６）内に収容され、前記電球筐体（６）は前記固定スタンド（３６）にネジ接続されていることを特徴とする請求項１３に記載の照明装置。
【発明の詳細な説明】
【技術分野】
【０００１】
本発明は電子照明装置に関し、具体的には本物の炎を模倣して発光する照明装置に関する。
【背景技術】
【０００２】
電子ろうそくは、便利な装飾品として、照明における実用性及び安全性を有するだけでなく、鑑賞性、装飾性をも兼備し、ホテル、教会や家庭などにおいて、幅広く使用されている。そこで、本物の炎を模倣する電子ろうそくは、その発光部分が従来の照明用ろうそくにおける炎の形態を模倣し、明るかったり暗かったり、又はゆらゆら揺れ、趣を有する。さらに、静かな且つ穏やかな雰囲気を醸し出すことができ、人をリラックスさせるなどの面から、人気を集めている。
【発明の概要】
【発明が解決しようとする課題】
【０００３】
本発明における主な目的は、本物の炎の燃焼を模倣する照明装置を提供することである。
【課題を解決するための手段】
【０００４】
具体的に、本発明は、本物の炎を模倣して発光する照明装置を提供する。本発明に係る照明装置は、発光板、制御パネル、本体ベース、電池ホルダ及び昇降機構を備えている。発光板と制御パネルとは電気的に接続され、発光板は、プリント回路板及び複数の発光体を備え、複数の発光体は、プリント回路板の表面に配列され、表示面を形成している。プリント回路板は、発光部及び固定部を備え、固定部（２３）は外側へ延在する突起部分を有し、発光部は炎の形状に類似し、表示面は、発光部の正反両面に位置している。制御パネルは、本体ベースに取り付けられ、発光板は、制御パネルとの固定接続により、本体ベースに位置決めされ、又は発光板は、本体ベースに取り付けられ、表示面は、本体ベースの先端部からはみ出している。制御パネルは、一部の発光体の点灯及び／又は一部の発光体の消灯を制御し、表示面には、炎の揺らめきが表示される、つまり動的な炎による燃焼効果が形成される。本体ベースは取付座を備え、電池ホルダは、取付座内に配置され且つ制御パネルと電気的に接続され、取付座の先端部には貫通孔が設けられ、駆動動作状態において、表示面は、この貫通孔を介して、取付座の先端部からはみ出している。昇降機構は、取付座内に取り付けられ、昇降機構の駆動出力端子と固定部とが接続され、昇降機構は、発光部が取付座内に隠れ又は取付座の先端部からはみ出すように駆動する。
【発明の効果】
【０００５】
本発明は照明装置を提供し、その発光板は複数の発光体を備え、複数の発光体が配列されて表示面を形成している。本発明における照明装置は、より本物の炎による燃焼効果に近づき、趣を有するため、制御パネルは、一部の発光体の点灯及び／又は一部の発光体の消灯を制御し、表示面には、動的な炎による燃焼効果が形成される。
【図面の簡単な説明】
【０００６】
【図１】本発明による参考例１の基本的な構造の概略図である。
【図２】本発明による参考例１の発光板の構造の概略図である。
【図３（ａ）】本発明による参考例１の発光板の電気回路の原理図である。
【図３（ｂ）】本発明による参考例１の発光体の配列図である。
【図４】本発明による参考例１の別の基本的な構造の概略図である。
【図５】本発明による参考例１の全体的な構造の概略図である。
【図６】本発明による参考例２の構造の分解図である。
【図７】本発明による実施形態１の発光板の構造の概略図である。
【図８】本発明による昇降機構を有する実施形態１の断面図である。
【図９】本発明による昇降機構を有する実施形態１の部分拡大図である。
【図１０】本発明による実施形態１の昇降機構の概略図である。
【図１１】本発明による昇降機構を有する実施形態２の構造の概略図である。
【図１２】本発明による実施形態３の構造の概略図である。
【図１３】本発明による実施形態４の電球構造の概略図である。
【図１４】本発明による実施形態４の電球全体の構造の概略図である。
【図１５】本発明による実施形態５の電球構造の概略図である。
【図１６】本発明による実施形態５の電球全体の構造の概略図である。
【図１７】本発明による実施形態６の発光板の構造の概略図である。
【図１８】本発明による実施形態６の電球構造の概略図である。
【図１９】本発明による実施形態６の電球全体の構造の概略図である。
【図２０】本発明による実施形態７の発光板の構造の概略図である。
【図２１】本発明による実施形態７の照明装置の構造の断面図である。
【発明を実施するための形態】
【０００７】
以下、具体的な実施形態及び図面と合わせて、本発明について詳細に説明する。
【０００８】
参考例１
図１及び図２に示すように、本参考例による照明装置は、電子ろうそくであり、コア構造は、本物の炎を模倣して発光するためのモジュールであり、発光板２、制御パネル７及び本体ベース３を備えている。発光板２は、プリント回路板（ＰＣＢ）及び複数の発光体２１を備え、プリント回路板は、発光部２２及び固定部２３を備えている。固定部２３は、外側へ延在する突起を有し、全体は十字型の構造に類似している。発光部２２は、炎の形状に似ている。本参考例による発光体２１は、具体的には発光ダイオード（ＬＥＤ）チップであり、長方形の顆粒状になっている。複数の発光体２１は、プリント回路板の表面に配列され、そして、少なくとも一つの表示面が形成されている。さらに、発光部２２の先端部における発光体２１の外側の輪郭は、できるだけ炎の形状を模倣するために円弧形に形成されている。本参考例では、表示面は、発光部２２の正反両面に位置し、発光板２は、本体ベース３内に配置され、また、発光部２２は、本体ベース３の上端面からはみ出している。制御パネル７は、一部の発光体２１の点灯及び／若しくは一部の発光体２１の消灯を制御する、又は、一部の発光体２１が徐々に明るくなること及び／若しくは一部の発光体２１が徐々に暗くなることを制御する。代替的には、制御パネル７は、一部の発光体２１の点灯及び／若しくは一部の発光体２１の消灯を制御し、且つ、一部の発光体２１が徐々に明るくなること及び／若しくは一部の発光体２１が徐々に暗くなることを制御する。点灯または徐々に明るくなる発光体２１は、プリント回路板の表示面において炎の形状を形成し、さらに、変化し続けることにより、表示面において、炎による動的な燃焼効果が形成される。
【０００９】
本参考例における電子ろうそくの点灯効果を、より本物の炎による燃焼効果に近づけるため、本参考例における発光体２１は、斜めに且つ均等に分布するように発光部２２に配列されている。別の参考例又は実施形態では、発光体２１は、円形若しくはほかの形状であってもよく、また、発光体２１は、垂直に又は水平に、且つ均等に分布するように発光部２２に配列されてもよい。さらに、発光体２１は、ほかの形態となるように発光部２２に配列されてもよい。発光板２における制御原理を、図３に示す。図３（ａ）は、電気回路の原理図であり、図３（ｂ）は、発光体２１の配線図である。制御パネル７は、マトリックス方式によって、例えば第１行第２列の発光体２１の点灯又は消灯を選択するように、ＰＷＭ（Ｐｕｌｓｅ  Ｗｉｄｔｈ  Ｍｏｄｕｌａｔｉｏｎ）信号によって、一部の発光体２１の点灯、一部の発光体２１の消灯を制御する。
【００１０】
本参考例は、具体的に以下を採用する。マイクロプロセッサＭＣＵは、複数のＬＥＤチップにおける一部の点灯又は消灯を制御し、模様を形成させ、従来のろうそくによる燃焼する炎の動的効果を模倣する。マイクロプロセッサＭＣＵは、電池から給電されてもよく、外部電源から給電されてもよい。具体的な制御原理として、１）電源モジュール８は、昇圧型集積回路（ＩＣ）を介して電圧を５Ｖまで上げ、マイクロプロセッサＭＣＵに供給する。２）マイクロプロセッサＭＣＵは、ＬＥＤ駆動用集積回路（ＩＣ）に給電する。このＬＥＤ駆動用集積回路（ＩＣ）の型番は、ＴＭ１６２８である。ＬＥＤ駆動用集積回路（ＩＣ）は、ＬＥＤを駆動するために用いられる。マイクロプロセッサＭＣＵとＬＥＤ駆動用集積回路（ＩＣ）とは、シリアル通信により通信を行う。３）マイクロプロセッサＭＣＵがシリアルコマンドを発信し、ＬＥＤ駆動用集積回路（ＩＣ）を通知して異なるＬＥＤチップをスキャニングし、ＬＥＤ駆動用集積回路（ＩＣ）により対応するＬＥＤチップの点灯及び消灯を駆動し、複数のＬＥＤチップによる点灯及び消灯の効果を実現する。４）マイクロプロセッサＭＣＵが異なるシリアルコマンドを発信することにより、ＬＥＤチップの明度を制御し、表示エリアのグレースケールを調節し、炎による動的に変化する効果を実現する。また、必要に応じ、照明装置の駆動時間を４時間、６時間、８時間に設定可能とするのと同様に、赤外リモコンにより、本発明の照明装置におけるオン／オフの制御、タイマー設定及びＬＥＤチップにおける炎の明度の調整などが実現可能である。
【００１１】
さらに、本体ベース３は、取付台３１及び取付座３２を備えている。取付座３２の上端部には、凹溝又は貫通孔が設けられている。凹溝又は貫通孔内には、位置決め用段部が設けられている。取付台３１は、凹溝又は貫通孔内に嵌めこまれている。取付台３１には、固定部２３に合わせた係合溝３１２が設けられている。固定部２３は、係合溝３１２を介して取付台３１内に配置されている。また発光部２２は、取付台３１の先端部からはみ出している。具体的には、取付台３１は、脱着可能な左筐体及び右筐体から構成されている。すなわち、左筐体及び右筐体が分かれる際に、固定部２３は、対応した係合溝３１２内に取り付けられ、そして左筐体及び右筐体が取付台３１を構成し、これによって発光板２を固定する目的が達成される。左筐体及び右筐体から構成された取付台３１は、円柱型構造になっている。別の参考例又は実施形態では、取付台３１における左筐体及び右筐体の上端面には、肩部３１１を設けてもよい。この肩部３１１には、固定部２３に合わせた係合溝３１２が設けられ、また、この肩部３１１における左筐体及び右筐体の外側には、位置決め片３１３が設けられ、図４に示すように、位置決め片３１３により、取付台３１を取付座３２内に固定させることができる。
【００１２】
取付座３２内には電源が配置されている。具体的には、取付座３２内には、電源を収容する電池ホルダ及び電池ホルダに対応する電池カバーが取り付けられている。制御パネル７は、電池ホルダの片側に固定され、さらに、電池ホルダと電気的に接続されている。本参考例における発光板２は、コネクタ２４をさらに備え、このコネクタ２４は、固定部２３の一表面に配置されている。さらに、フレキシブル回路基板が採用され、一端は、コネクタ２４に挿入接続され、他端は、制御パネル７と接続されていることより、発光板２と制御パネル７とは、フレキシブル回路基板を介して電気的に接続されている。
【００１３】
電池ホルダは、取付座３２内に配置されている。電池ホルダの開口は下向きになっており、電池カバーは、脱着可能に電池ホルダの開口部に配置されている。電池ホルダには、１．５Ｖの乾電池が２本又は４本収容されてもよい。必要に応じ、電源は乾電池であってもよく、充電式電池でもよい。制御パネル７に電源を提供するために、本参考例における電池ホルダには、１．５Ｖの乾電池が２本取り付けられている。ユーザが本参考例の電子ろうそくを使用する際に、ユーザが電池ホルダにおけるスイッチを入れ、制御パネル７は、このスイッチのオンオフ信号に基づいて、一部の発光体２１の点灯及び一部の発光体２１の消灯を制御し、そして、表示面に動的な炎が燃焼する効果が形成される。別の参考例又は実施形態では、外部電源を採用して給電してもよい。
【００１４】
本参考例による電子ろうそくは、従来のろうそくの質感及び視覚感覚を模倣するために、発光部２２の厚さは０．６ｍｍ以下であり、好ましい厚さは０．４ｍｍである。また、本参考例における発光板２は、透明又は半透明の被覆層をさらに備え、この被覆層は、発光体２１の表面を覆う。すなわち、発光体２１が、斜めに且つ均等に分布するようにプリント回路板の正反両面に配列された後に、この被覆層は、発光体２１によって形成された表示面を覆う。この被覆層は、エポキシ樹脂複合材料又はシリカゲル複合材料であってよい。この被覆層は、発光体２１がダメージを受けないように保護し、一方、肉眼で長時間光線を観察するときに、光線がまばゆくないように、発光体２１が発した光線をフレキシブル光線に調整する役割もある。また、本参考例における電子ろうそくは、ろう胴体１をさらに備え、ろう胴体１は、パラフィンで作成され又は外表面にパラフィンが覆われている。本参考例におけるろう胴体１の上端には、基板１１が取り付けられ、基板１１には、発光部２２を貫通させるための貫通孔１１１が設けられ、本体ベース３は、ろう胴体１内に配置されている。発光板２は、取付座３２に取り付けられ、発光板２における表示面は、この貫通孔１１１を介して基板１１の上表面からはみ出している。本参考例における電子ろうそくの全体の構造図は、図５である。
【００１５】
参考例２
図６は、参考例１に基づく本参考例における電子ろうそくの構造分解図であり、ろう胴体１、発光板２及び本体ベース３を備えている。本参考例は、ろう胴体１、発光板２及び本体ベース３の構造を、参考例１に対して少し変形させたものであり、ほかの部分は参考例１に類似するため、説明を省略する。
【００１６】
本参考例における本体ベース３は、発光板２を取り付けるための取付台３１及び取付台３１を支持する取付座３２を備えている。取付座３２の上端には、凹溝又は貫通孔が設けられ、凹溝又は貫通孔内に位置決め段部が設けられている。参考例１との相違点は、本参考例における発光部２２は、長方形構造であり、複数の発光体２１は、斜めに且つ均等に分布するように発光部２２に配列され、取付台３１全体が、凹溝又は貫通孔内に嵌めこまれるために、取付台３１には、位置決め段部と係合する肩部３１１が設けられ、この肩部３１１の下端面が位置決め段部に配置されている点である。
【００１７】
取付台３１には、固定部２３に合わせた係合溝３１２が設けられ、固定部２３は、係合溝３１２を介して取付台３１内に配置され、また、発光部２２は、肩部３１１の上方にはみ出している。具体的には、本参考例における取付台３１は、脱着不能の部品であり、発光板２を固定するために、固定部２３は、直接に対応した係合溝３１２に差し込まれている。
【００１８】
本参考例におけるろう胴体１の上端には、基板１１が取り付けられ、基板１１には、発光板２が貫通するための貫通孔１１１が設けられている。また、本体ベース３は、ろう胴体１内に配置され、発光体２１によって構成された表示面は、貫通孔１１１を介して基板１１の上表面からはみ出している。
【００１９】
本参考例における貫通孔１１１は、円形に設計されている。本参考例では、係合溝３１２には、固定部２３における外側へ延在する突起部分に対応した位置決め凹溝が設けられている。位置決め凹溝の大きさは、固定部２３を肩部の貫通孔内に収容できる程度でよい。別の参考例又は実施形態では、係合溝３１２を設けなくてもよい。その場合、本参考例における電子ろうそくを組み立てる際に、固定部２３における外側へ延在する突起部分を、肩部３１１の上表面、及び基板１１の下表面に配置し、基板１１と肩部３１１とで挟んで支持することにより発光板２を固定してもよい。
【００２０】
実施形態１
参考例１及び参考例２が提供した照明装置においては、発光板２が本体ベース３に固定されている。参考例１及び参考例２に基づき、本実施形態における電子ろうそくが点灯する必要のないときに、発光部２２が、本体ベース３に隠れることを実現するために、本実施形態が提供する電子ろうそくは、昇降機構４をさらに備えている。本実施形態における発光部２２の上端面は、黒色に設計されている。その目的は、発光部２２が本体ベース３内に隠れているときに、電子ろうそくの模造芯の外観を、燃焼された木切れに類似させるためである。電子ろうそくが点灯する必要のあるときには、発光部２２がろう胴体１の上端面からはみ出す。そして、電子ろうそくが点灯し、これによって、ユーザに異なる外観的視覚を与え、そしてユーザに新鮮な体験感覚を与えることができる。
【００２１】
本実施形態が参考例１及び参考例２と異なる点は、本実施形態における発光部２２及び固定部２３が両方とも、長方形構造である点である。図７に示すように、本実施形態における発光体２１の配列分布方式は、参考例２に類似している。本実施形態におけるろう胴体１、本体ベース３、制御パネル７及び電源モジュール８の構造は、それぞれ参考例１及び参考例２の対応した部分に類似するため、説明を省略する。
【００２２】
図８に示すように、昇降機構４は、取付座３２内に取り付けられ、昇降機構４における駆動出力端子は、発光部２２が取付座３２内に隠れた状態及び基板１１の上表面からはみ出した状態のいずれかを選択的に取るように制御する。
【００２３】
さらに、図９に示すように、昇降機構４は、昇降板４１、ギアボックス４２及び駆動源４３を備えている。取付座３２内には、昇降板４１に対応したスライドが設けられている。昇降板４１の後ろ側は、スライド内に収容されている。昇降板４１の右側には、固定部２３を位置決めするための位置決め溝４１１が設けられている。固定部２３は、位置決め溝４１１内に配置されている。昇降板４１の左側には、昇降ギア４１２が設けられている。ギアボックス４２は、取付座３２内に取り付けられている。ギアボックス４２内には、ギアボックス歯車４２１が配置されている。さらに、ギアボックス歯車４２１と昇降ギア４１２とは、動力を伝動可能となるように互いにかみ合っている。駆動源４３は、モータであることが好ましい。モータは、取付座３２内に取り付けられ、さらに、モータの歯車とギアボックス歯車４２１とは、動力を伝動可能となるように互いにかみ合って、ギアボックス歯車４２１の回転を駆動する。ギアボックス歯車４２１が、昇降板４１を連動させ、上昇又は下降する。モータの正転及び逆転により、発光部２２のはみ出し及び隠れ効果が実現し、ユーザが、本実施形態における電子ろうそくを使用する際に、趣を味わうことができる。
【００２４】
ユーザが本実施形態における電子ろうそくを使用する際に、ユーザは、電池ホルダにおけるスイッチ、又はほかの場所に取り付けられたスイッチを入れると、制御パネル７は、このスイッチ信号に基づいて、予め設定された時間内にモータの駆動を制御する。モータの歯車は、ギアボックス歯車４２１の回転を駆動し、発光部２２が基板１１の上表面からはみ出すように、ギアボックス歯車は、昇降板４１を上昇させ、同時に、制御パネル７は、一部の発光体２１の点灯及び一部の発光体２１の消灯を制御し、表示面には、炎の燃焼効果が形成される。ユーザが本実施形態における電子ろうそくを使用しないときには、制御パネル７が、点灯された発光体２１が消灯するように制御し、発光部２２は、取付座３２内に隠れる。
【００２５】
実施形態２
実施形態１に基づき、本実施形態は、別の昇降機構４を提供する。本実施形態における昇降機構４は、実施形態１における昇降機構４に少し変更を加えたものである。本実施形態におけるろう胴体１、発光板２、本体ベース３、制御パネル７及び電源モジュールの構造は、それぞれ参考例２の対応した部分に類似するため、説明を省略する。
【００２６】
図１０及び図１１に示すように、本実施形態における昇降機構４は、昇降板４１、ギアボックス４２、駆動源４３及び回転輪４４を備えている。発光板２は、昇降板４１の上部に固定されている。さらに、昇降板４１が固定部２３に位置する場所には、昇降ギア４１２が設けられている。ギアボックス４２は、取付座３２内に取り付けられている。回転輪４４は、ギアボックス４２内に取り付けられている。また、回転輪４４と昇降ギア４１２とは、動力を伝動可能となるように互いにかみ合っている。駆動源４３は、具体的にはモータである。駆動源４３は、ギアボックス４２内に取り付けられ、回転輪４４の回転を駆動する。回転輪４４は、昇降板４１の上昇又は下降させる。モータの正転及び逆転により、発光部２２のはみ出し及び隠れ効果が実現し、ユーザが、本実施形態における電子ろうそくを使用する際に、趣を味わうことができる。
【００２７】
別の実施形態では、駆動源４３は、油圧ポンプ又はほかの伝動機構であってもよい。
【００２８】
実施形態３
参考例１、２、実施形態１及び実施形態２と本実施形態との相違点は、図１２に示すように、本実施形態における照明装置は、燃焼中の炎の形態を模倣する火焔筐体５をさらに備えている点である。火焔筐体５は、発光部２２の基板１１の上表面からはみ出している部分をカバーし、燃焼していることを模倣する完全な火焔体を形成する。具体的には、本実施形態における火焔筐体５は、透明又は半透明の材料からなることが好ましく、表示面が火焔筐体内に配置される。これによって、ＬＥＤチップが火焔筐体５内に隠され、照明装置が駆動状態又駆動していない状態において、ユーザが直接に発光部２２のＬＥＤチップを見ることができないようになる。したがって、本実施形態の火焔筐体５により、照明装置は、優雅な外観を保ち、さらに、本実施形態の電子ろうそくが点灯する際に、ユーザに更なる迫真的な燃焼する効果を与える。
【００２９】
実施形態４
参考例２に基づく本実施形態は、ＩＥＣ（国際電気標準会議）の規定に適合し、標準の電球ソケット（例えば、Ｅ１４、Ｅ２７、Ｂ２２及びＢ２７など）に対応する標準のコンタクト部を有する電球を提供する。図１３に示すように、本実施形態における電球は、電球筐体６、発光板２、制御パネル７及び本体ベース３を備えている。本体ベース３は口金であり、口金は、標準のコンタクト部を有する。発光板２は、プリント回路板及び複数の発光体２１を備え、プリント回路板は、発光部２２及び固定部２３を備えている。本実施形態における固定部２３と制御パネル７とは、接続され一体となり、発光板２と制御パネル７とは、一体形成されている。本実施形態における電球筐体６は、球形である。別の実施形態では、必要に応じ、電球筐体６は、ほかの形状であってもよく、本実施形態の本体ベース３は、参考例２の本体ベース３に対し、少し変形されたものである。
【００３０】
本実施形態では、本体ベース３は、位置決め板３３を備えている。電球筐体６の末端には、ネジ山が設けられ、取付座３２の内部には、対応した雌ネジが設けられている。位置決め板３３には、固定部２３が外側へ延在する突起の横断面に合わせた貫通孔が開通されている。位置決め板３３の底端には、固定部２３が外側へ延在する突起部分に合わせた位置決め溝３３１が設けられている。固定部２３と制御パネル７の末端とは、取付座３２内に取り付けられ、位置決め板３３は、貫通孔を介して発光板２及び制御パネル７を位置決めし、固定させ、さらに、位置決め溝３３１は、固定部２３における外側へ延在する突起部分に嵌合されている。発光体２１によって形成された表示面は、電球筐体６内に収容され、電球筐体６は、取付座３２にネジ接続されている。本実施形態における電球全体の構造模式図を図１４に示す。本実施形態における発光部２２は、複数の長方形の顆粒状の発光体２１を備えている。さらに、発光体２１は、斜めに配列され、表示面を形成しているため、本実施形態における電球が点灯する際に、炎による燃焼効果がより迫真的である。取付座３２の外部構造は、Ｅ２７のように、既存の家庭用照明ソケットに適用する標準の接続口である。取付座３２内に位置する電源モジュール８により、交流電流は、ＬＥＤチップに適合した直流電流に変換される。別の実施形態では、電源モジュールを制御パネルに集積させ、制御用プリント回路板に形成してもよい。
【００３１】
実施形態５
参考例２に基づく本実施形態は、別の標準のコンタクト部を有する電球を提供する。図１５に示すように、本実施形態における電球は、電球筐体６、発光板２、制御パネル７及び本体ベース（口金）３を備えている。本実施形態における発光板２は、プリント回路板及び複数の発光体２１を備え、プリント回路板は、発光部２２及び固定部２３を備えている。本実施形態の固定部２３と制御パネル７とは、接続され一体となっている。発光板２と制御パネル７とは、一体形成されている。本実施形態における電球筐体６は、円錐形である。別の実施形態では、必要に応じ、電球筐体６は、ほかの形状であってもよい。本実施形態の本体ベース３は、参考例２の本体ベース３に対し、少し変形されたものである。
【００３２】
本実施形態では、本体ベース（口金）３は、締め付けブロック３４及び収容カップ３５を備えている。取付座３２内には、雌ネジが設けられ、収容カップ３５の底部の外壁には、対応した雄ネジが設けられ、締め付けブロック３４には、発光板２及び制御パネル７に合わせたチャネル３４１が設けられている。収容カップ３５は、取付座３２にネジ接続され、締め付けブロック３４は、収容カップ３５内に収容され、締め付けブロック３４は、チャネル３４１を介して、固定部２３及び制御パネル７による一体化の位置決めを行う。固定部２３の一部及び制御パネル７の一部は、収容カップ３５内に位置し、発光部２２は、電球筐体６の内部に収容されている。電球筐体６の開口端と収容カップ３５の上端とは接続されている。本実施形態における電球全体の構造の模式図を図１６に示す。本実施形態における発光部２２は、複数の長方形の顆粒状の発光体２１を備え、さらに、発光体２１は、斜めに配列され、表示面を形成しているため、本実施形態における電球が点灯する際に、炎による燃焼効果がより迫真的である。同様に、取付座３２の外部構造は、Ｅ１４、ＭＲ１６などのように、既存の家庭用照明ソケットに適用する標準の接続口である。取付座内に位置する電源モジュール８により、交流電流は、ＬＥＤチップに適用する直流電流に変換される。別の実施形態では、電源モジュールを制御パネルに集積させ、制御用プリント回路板に形成させてもよい。
【００３３】
実施形態６
参考例１に基づく本実施形態は、別の標準のコンタクト部を有する電球を提供する。図１７及び図１８に示すように、本実施形態における電球は、電球筐体６、発光板２、制御パネル７、電源制御パネル９及び本体ベース（口金）３を備えている。本実施形態における発光板２は、プリント回路板及び複数の発光体２１を備え、プリント回路板は、発光部２２及び固定部２３を備えている。実施形態４及び実施形態５との相違点は、本実施形態における固定部２３が矢印の形であり、電源制御パネル９が外側へ延在する突起部分を有し、全体が十字型構造になっており、電源モジュール８と電源制御パネル９とが接続され一体となり、電球筐体６が円錐形である点である。別の実施形態では、必要に応じ、電球筐体６は、ほかの形状であってもよい。固定部２３と電源制御パネル９とは、それぞれ制御パネル７に取り付けられ、固定部２３と電源制御パネル９とは、着脱可能な取付方式又は固定式取付方式を採用して制御パネル７と接続されてもよい。例えば、固定部２３と電源制御パネル９とは、それぞれ制御パネル７に溶接され、又は、制御パネル７には、それぞれ固定部の接続口及び電源制御パネルの接続口が設けられ、固定部２３は、固定部の接続口を介して、抜き差し可能に制御パネル７に取り付けられていてもよい。電源制御パネル９は、電源制御パネルの接続口を介して、抜き差し可能に制御パネル７に取り付けられている。また、発光部２２は、制御パネル７の上方に位置し、電源制御パネル９は、制御パネル７の下方に位置する。本実施形態の本体ベース３は、参考例２の本体ベース３に対し、少し変更を加えたものである。
【００３４】
本実施形態における本体ベース３は、固定スタンド３６を備えている。電球筐体６の末端部には、ネジ山が設けられ、取付座３２の内部には、対応した雌ネジが設けられ、固定スタンド３６と取付座３２とはネジ接続されている。電源モジュール８、電源制御パネル９、固定部２３及び制御パネル７は、固定スタンド３６内に収容され、発光部２２は、電球筐体６内に収容され、電球筐体６は、固定スタンド３６にネジ接続されている。本実施形態における電球全体の構造の模式図は、図１９であり、本実施形態における発光部２２には、複数の長方形の顆粒状の発光体２１が配置され、さらに、発光体２１は、斜めに配列され、表示面を形成しているため、また、本実施形態における発光部２２は、炎の形状に類似し、さらに、発光部２２における先端の発光体２１は、炎の形状に配列されているため、本実施形態における電球が点灯する際に、炎による燃焼効果がより迫真的である。同様に、取付座３２の外部構造は、Ｅ１４、ＭＲ１６のように、既存の家庭用照明ソケットに適用する標準の接続口であり、電源モジュール８により、交流電流は、ＬＥＤチップに適用する直流電流に変換される。
【００３５】
本実施形態における電源モジュール８は、具体的に抵抗・コンデンサ電源であり、その動作原理としては、抵抗・コンデンサの降圧により、１２０Ｖ〜２５０Ｖの交流電流が５Ｖの直流電流に変換され、そして５Ｖの直流電流が制御パネル７及び発光板２に給電され、制御パネル７がプログラムによってＬＥＤマトリクスを制御し、ろうそくにおける火焔の変化を模倣する。
【００３６】
実施形態７
図２０、図２１に示すように、本実施形態は、参考例１に基づいたものであり、発光板２には、一つのＬＥＤダイオード２５が追加されている。このＬＥＤダイオード２５は、プリント回路板の末端に取り付けられている。すなわち、ＬＥＤダイオード２５は発光板２における固定部の末端である。発光板２と制御パネル７とは、フレキシブル回路基板１０を介して電気接続されている。電子ろうそくにおいて、このＬＥＤダイオード２５は、本体ベース３の内部に収容され、使用状態では、このＬＥＤダイオード２５が点灯し、光が本体ベース３の半透明材質から透過し、柔らかい光線が生成され、本体ベース３の先端部からはみ出している表示面に対応して、本物の炎を模倣する動的な燃焼効果が生成され、製品による鑑賞性がいっそう高まる。
【００３７】
別の実施形態では、本発明が提供する照明装置は、センサをさらに備えてもよい。風又は気流が存在する状態において、センサが風信号又は気流信号を取得し、制御パネル７は、センサによって取得された風信号又は気流信号を電気信号に変換し、ＬＥＤチップの瞬く点灯及び瞬かない点灯を制御する。を駆動し、したがって、風又は気流が存在する状態において、ＬＥＤ表示面には、風又は気流に吹かれることにより、瞬く火焔が形成され、動的な燃焼効果が実現される。風又は気流が存在しない状態において、本発明における照明装置が、本物のろうそくによる燃焼状態にさらに近づくために、ＬＥＤ表示面は、瞬かずに点灯する。
【００３８】
本発明における照明装置は、家庭用照明以外に、別の実施形態では、鑑賞、娯楽用の灯籠、ウィッシングランプ、松明、暖炉、屋外用照明、壁面照明などの製品に使用されてもよい。家庭用照明の電球に使用される際に、ＬＥＤ表示面には、動的な火焔による燃焼効果が形成してもよく、全部又は一部のＬＥＤが瞬かずに点灯してもよく、これにより、照明効果が実現される。特別な需要に応じ、壁面照明製品の中のカラーランプのように、本発明における照明装置が、異なる色彩を発光するために、ＬＥＤ表示面には、多彩なＬＥＤを採用してもよい。
【００３９】
上述した内容は、具体的な実施形態とともに、本発明に対するさらなる詳細な説明であり、本発明による具体的な実施は、これらの説明を限定するものではない。本発明における当業者にとって、本発明による構想の範囲内で限り、いかなる簡単な演繹又は置換が可能である。
【図１】
0005960790.tif 000002
【図２】
0005960790.tif 000003
【図３（ａ）】
0005960790.tif 000004
【図３（ｂ）】
0005960790.tif 000005
【図４】
0005960790.tif 000006
【図５】
0005960790.tif 000007
【図６】
0005960790.tif 000008
【図７】
0005960790.tif 000009
【図８】
0005960790.tif 000010
【図９】
0005960790.tif 000011
【図１０】
0005960790.tif 000012
【図１１】
0005960790.tif 000013
【図１２】
0005960790.tif 000014
【図１３】
0005960790.tif 000015
【図１４】
0005960790.tif 000016
【図１５】
0005960790.tif 000017
【図１６】
0005960790.tif 000018
【図１７】
0005960790.tif 000019
【図１８】
0005960790.tif 000020
【図１９】
0005960790.tif 000021
【図２０】
0005960790.tif 000022
【図２１】
0005960790.tif 000023